(57)【特許請求の範囲】
【請求項１】
感光材料を遮光状態で収納する容器において、該容器を構成する少なくとも一部の部材に、リグノセルロース、澱粉、糖類のいずれか、またはそれらの混合物を含む発泡成型体を用いたことを特徴とする感光材料用遮光容器。
【請求項２】
前記感光材料用遮光容器が紙製胴体と該胴体の両端部を封鎖し、感光材料の巻芯を支持する嵌合突起を有する側板からなり、該側板の少なくとも嵌合突起部がリグノセルロース、澱粉、糖類のいずれか、またはそれらの混合物を含む発泡成型体と紙で形成されている事を特徴とする請求項１記載の感光材料用遮光容器。
【請求項３】
感光材料を引き出すためのスリット状引き出し口を有する感光材料用遮光容器であって、該スリット状引き出し口に前記発泡成型体を用いたことを特徴とする請求項１または２記載の感光材料用遮光容器。
【発明の詳細な説明】
【０００１】
【産業上の利用分野】
本発明は感光材料を遮光状態で収納する感光材料用遮光容器に関し、特に簡易的な使い捨て容器に関する。
【０００２】
【従来の技術】
感光材料用遮光容器は目的、用途によって種々の形体のものがある。例えば、実開昭５５−８８９８０号公報、同６０−１６７７９６号公報、実公昭５６−１６６０８号公報、特開昭５５−１２４１４０号公報、同５７−１２８３３３号公報、同６０−１５６０５８号公報、同６１−２１９０４０号公報、同６２−２４０９５８号公報、特公昭５９−３６７３６号公報等に記載されているロール状感光材料用マガジン（以降マガジンと称す）、実開昭６３−６６８２５号公報、同６３−９４４３８号公報等に記載されているレンズ付フィルムユニット等がある。
【０００３】
これらの感光材料用遮光容器は遮光性、強度をもたせることはもちろんであるが、使い捨てという観点から製造コスト、廃棄時の環境問題を考慮する必要がある。
【０００４】
前記マガジンは収納される感光材料の種類、サイズ、巻長さ、用途によって種々の材質で形成されるが、通常、紙とプラスチックに大別することができる。詳しくは紙としては、段ボール、板紙が用いられ、その他に複合化材として、紙とプラスチックフィルムや金属箔との積層材料が用いられる。
【０００５】
図７は一般的なマガジンの一部解体斜視図である。マガジンの材質は、通常、胴体１と側板２の両者が紙で成形されているもの、両者がプラスチックで成形されているもの、または胴体が紙で側板がプラスチックで成形されているものに分けられる。
【０００６】
これらの紙または／およびプラスチックで成形された従来のマガジンは前記したように使い捨てマガジンに課せられた強度、低コスト、廃棄焼却性の全てを満足させることは不可能に近い。
【０００７】
例えば胴体と側板が紙で成形されたものは、コスト、廃棄性は良いが、強度が弱く、収納される感光材料のサイズ、巻長さが制限されるという欠点、及び輸送時に変形、破損しやすいという重大な欠点がある。両者がプラスチックで成形されたものは強度は良いが、コスト、廃棄性の面で問題がある。これらの問題があることから前記２例については現在ほとんど使われていない。胴体が紙で側板がプラスチックで成形されたのものは、前記２例の中間の特性をもつが、廃棄時、胴体と側板を取りはずし、紙とプラスチックを分別して廃棄しなければならず、胴体と側板の取りはずしに大きな労力を要するという欠点がある。
【０００８】
しかしながら感光材料としての商品価値を保持するという立場から、マガジンにある程度の強度を持たせるため側板にプラスチックを用いたものが主流をなしている。マガジンの側板は、マガジン内に収納された感光材料がロール状に巻かれたコアを回転自在に軸支できるだけの強度が必要であること、及び巻緩み防止機能をもたせるための加工を施す必要があること等の理由から、側板の構造上比較的複雑な凹凸を有し、寸法安定性や成形加工性が必要であるためプラスチックが一般的に使用されるようになった。
【０００９】
しかしプラスチックは、板紙や段ボールに比べ重量が大きく、高価であること、一般的に胴体部に使われる紙材とプラスチックとの接着性が悪くはずれやすいこと、及びプラスチックは不燃物として取り扱われるため、紙部材と分別して廃棄しなければならないこと、もし可燃物に混入して焼却された場合、プラスチックは燃焼カロリーが紙や木材等に比べかなり高く、さらにプラスチックは燃焼時メルトダウン（溶融滴下）する性質があるため燃焼炉を傷めるという欠点があった。
【００１０】
一方従来の感光材料用マガジンの中には胴体の上面前端部幅方向に図６の様な断面をもつスリット状引きだし口を形成する物がある。該マガジンの引き出し口は、上面前端部１３を内側に四角形の形状に織り込み最終折り込み面１６を上面内部壁面１７に固着して形成していた。
【００１１】
しかしながら、このようにして形成された引き出し口は紙製であるが故に、外圧、衝撃及び温湿度変化によって変形しやすく、マガジン組立時、収容箱本体１と側板２が旨く嵌合せず、トラブルがしばしば発生していた。
【００１２】
また、前記した従来のマガジンは正常に組み立てられ製品化されても、運搬等によって引き出し口が変形し、引き出し口からの光線漏れによる感光材料のカブリ発生や感光材料がスムーズに引き出せないという問題が発生した。
【００１３】
引き出し口スリット部の前記問題についての対策としては、特願平６−８６４５１にスリット状引きだし口に樹脂発泡体を使用するマガジンが開示されているが、マガジン廃棄時に紙製胴体と樹脂発泡体を分別して廃棄しなければならず、その分別に大きな労力を要していた。
【００１４】
【発明が解決しようとする課題】
本発明の目的は、前記問題点を解消し、低コストで遮光性および強度に優れ、かつ可燃性等の使い捨て用としての性能を満足した感光材料用遮光容器を提供することにある。
【００１５】
【課題を解決するための手段】
本発明の上記目的は感光材料を遮光状態で収納する容器において、該容器を構成する少なくとも一部の部材に、リグノセルロース、澱粉、糖類のいずれか、またはそれらの混合物を含む発泡成型体を用いることによって基本的に達成された。
【００１６】
また該容器を紙製胴体と該胴体の両端部を封鎖し、感光材料の巻芯を支持する嵌合突起を有する側板とから形成し、この側板の少なくとも嵌合突起部を前記発泡成型体と紙で構成するものである。更に感光材料を引き出すためのスリット状引き出し口に、前記発泡成型体を用いる構成を採用するものでもある。
【００１７】
【実施例】
本発明における感光材料用遮光容器は特に限定されないが、具体的には前記したロール状感光材料用マガジンやレンズ付フィルムユニットがあり、更に詳しくは簡易的な使い捨て用容器である。
【００１８】
本発明で用いられる発泡体とはリグノセルロース、澱粉、糖類のいずれか、またはそれらの混合物を、多価アルコールと反応させて得られる液化物に、ＭＤＩ（ジフェニルメタンジイソシシアネート），ＤＴＩ（トレリンジイソシアネート）等のイソシアネートを反応させて得られる発泡体であり（以下木質発泡体と称す）、例えば特開平４−１０６１２８号の技術を利用することが出来る。
【００１９】
詳述すると本発明の木質発泡体の原料としては木材などのリグノセルロース、澱粉、糖類のいずれか、またはそれらの混合物を多価アルコールと酸触媒の存在下で反応させて得られる液化物をＭＤＩ，ＤＴＩ等のイソシアネートを反応させて均一なセル構造を有する木質発泡体を得ることが出来る。
【００２０】
リグノセルロース物質としては例えば、木粉、木材繊維、木材チップ、単板屑、ワラ、モミガラ、パルプ、古紙などをあげることが出来る。これらリグノセルロース物質以外の澱粉、糖類のいずれか、またはそれらの混合物も同様に使用することが出来る。又糖類としては特に限定されないが、低分子の物が液化し易く例えば、砂糖、果糖等をあげることが出来る。
【００２１】
多価アルコールは２価以上のアルコールであり、例えば脂肪族多価アルコール、ポリエーテルポリオール、ポリエステルポリオールなどをあげることが出来る。多価アルコール類は各々単独で用いてもよく、又それらの２種以上を適宜混合して用いることもでき、比較的分子量の大きい多価アルコールと比較的分子量の小さい多価アルコールを併用することが望ましい。さらに溶液の粘度を低くしたり、液化・溶解を助長する目的で液化・溶解時に最初からあるいはその途中で、水あるいは１価アルコール類、アセトン、酢酸エチルなどの有機触媒の１種又は２種以上を添加、共存させることも可能である。これら有機触媒は、通常多価アルコール１００重量部に対して好ましくは１−３０重量部添加される。
【００２２】
上記液化反応は酸触媒存在下で常圧で行うものである。酸触媒としては鉱酸、有機酸、さらにはルイス酸でもよく、例えば、硫酸、塩酸、トルエンスルフォン酸、フェノールスルフォン酸等があげられる。反応温度は１００−２００℃、好ましくは１４５−１６５℃である。
【００２３】
木質発泡体の製造方法は液化木材、中和剤、触媒、水などの発泡助剤を添加したもの（以下ポリオールプレミックスという）とイソシアネートの反応が基本になる。ポリオールプレミックスとイソシアネートとの配合は、ポリオールプレミックスの活性水酸基１００に対してイソシアネートのＮＣＯ基（ＮＣＯインデックス）５０−１５０、さらに好ましく８０−１２０である。
【００２４】
通常のウレタン発泡に使用される発泡用触媒は全て使用することが可能であり、例えば花王（株）のカオライザーＮｏ．１，Ｎｏ．２，Ｎｏ．３１等が上げられる。
【００２５】
ポリオールプレミックスの粘度を調整するため、可塑剤の様なものを添加することが出来る。例えば、ジオクチルフタレート、プロピレンカーボネート、エチレンカーボネート等があげられる。
【００２６】
この発明の木質発泡体を製造する装置としては、通常ポリウレタン発泡に使用される装置は全て使用することが出来る。また発泡のための条件、例えば原料温度、金型温度、攪拌速度などは通常のウレタン発泡の条件で行うことが出来る。
【００２７】
また発泡に際し必要に応じての多くの物質、例えば酸化防止剤、紫外線吸収剤、難燃剤、着色剤、各種充填剤、可塑剤、かつ剤、帯電防止剤、補強剤などを添加することが出来る。
【００２８】
発泡倍率の条件としては低発泡倍率だと製造上困難であり、又逆に高倍率になると強度的に弱くなる問題がある。これらの事から３−２０倍の範囲が好ましい。
【００２９】
本発明に用いられる木質発泡体は、燃焼時の発熱カロリーが従来の汎用プラスチックより低く、最近になり生分解性又は生物崩壊性があると考えられており、この発泡体と紙と複合することにより、軽量でしかも地球環境に優しい包装材料になりうる。このように軽量で地球環境に優しい包装材料は、地球環境保全及び流通合理化の面より大きな利点を有している。従って従来は強固に接合されたマガジンの紙製部材とプラスチック製部材を解体するために大きな労力、労費を要していたが、その必要が無くなった。
【００３０】
本発明において、木質発泡体は感光材料用遮光容器を構成する一部の部材に使用しても全部に使用してもよい。特に遮光容器の構造上ある程度の強度、硬度が要求される部材に用いることが好ましく、従来プラスチックを使用していた部材にプラスチックに替えて用いることによって、その効果を最大限に発揮することができる。
【００３１】
例えばマガジンの場合、側板やロール状感光材料を引き出すためのスリット状引きだし口は、一般に強度、硬度、寸法安定性、遮光性、成形性を要求されるため、側板やスリット状製品引きだし口に木質発泡体を用い、胴体に板紙または段ボールを用いることによって、使い捨てマガジンとしての適性を満足させることができる。もちろん胴体にも木質発泡体混合成形物を用いても何ら問題はない。
【００３２】
同様にレンズ付フィルムユニットのボディー等に前記木質発泡体を用いても、前記と同様の効果を発揮することができる。
【００３３】
次に本発明の好ましい態様を、図面を参照して具体的に説明する。前記した如く、マガジンを構成する側板の少なくとも一部に木質発泡体を用いる。本実施例では、液化木材としては以下の要領で調製作成したものを使用した。
0003614559.tif 000002
木質発泡体としては以下の要領で調製作成したものを使用した。
0003614559.tif 000003
上記配合を用いて低圧発泡機（東邦機械工業製）にて発泡倍率５倍で発泡した。側板全体を上記条件で作成した木質発泡体で形成しても良いが、紙との複合材料で形成することが好ましい。
【００３４】
図１は本発明に基づくマガジンの一部を切り欠いて、巻き取り状の感光材料の収納状態を示している。図２，３，４に本発明に用いる側板の好ましい具体例を示す。図２は解体図、図３は斜視図、図４は断面図である。側板本体６は厚紙で箱形に成形されており、その中に嵌合突起部５とそれを支持する台座７を一体成型した木質発泡体が固着されている。この木質発泡体の内部には、嵌合突起部５を補強するための補強板紙１０が側板本体６に固着するように設けられている。嵌合突起部５はマガジン内に収納されるロール状感光材料を宙吊りの形態で軸支する役目があり、そのため板紙を内存させることによって補強され、要求される強度を得ることが出来る。この板紙は３００〜５００ｇ／ｍ２の剛度の高いものを用いることが好ましい。
【００３５】
側板２の側板本体６は図２に示される展開形状の厚紙８から基板周壁が立ち上がるように組み立てられる。このとき、隣り合う周壁間に隙間が出来ないように重ね合わせしろを設けておく方法もあるが、ここではさらに薄紙９を用いて、厚紙に薄紙を割りあわせて箱形状を作る「貼り箱」の技術を利用する。
【００３６】
側板本体６に、補強板紙１０を内在させて嵌合突起部５と台座７を一体成型した木質発泡体を、接着剤で固着しても良いが側板本体６に補強板紙１０を予め固着しておき、その上に嵌合突起部５と台座７を型どった成型金型を取り付けて木質発泡体の原料を吐出し発泡させると成型と固着が同時に行えて好都合である。
【００３７】
前記したように側板本体６は厚紙８を用いて基板に周壁を立設し箱形に成型したので、紙の特性である薄くて軽量で破断しにくい性質を活かして胴体の両端部が閉塞される。さらに周壁内側の基板に固着される木質発泡体は発泡倍率３〜２０倍に発泡させたもので、軽量で衝撃吸収性にも優れ、重量のある帯状感光材料を安定支持し、厚紙と発泡体のそれぞれの特性が活かされて、側板として必要な機能が満たされると共に地球環境に優しいマガジンが出来上がる。
【００３８】
本発明のマガジンにおける側板は、図２、３に示すように厚紙８と薄紙９で組み立てられた側板本体６に、液化木材で形成された台座７を装着したものを使用した。台座７の内部は図４に示すように嵌合突起部５に補強板紙１０が内在されている。
【００３９】
そして従来のプラスチック樹脂で一体成型された側板を用いたマガジンとの比較を行うと、本発明を採用することでマガジンの軽量化が計られ、マガジン組立時もお互いに繊維質を含む事から接着する時間を短縮することが可能となる。
【００４０】
又、コストも樹脂品に比べ下げることができ、使用後廃棄するときも分別する必要もなく全て一般可燃物として処分する事が可能となる。
【００４１】
次に本発明に基ずくマガジンの胴体１の好ましい態様を図５を参照して説明する。
【００４２】
マガジンの全体構造は前記した図７のごとき従来のものと概略同一であり、引き出し口の構造に特徴を有し、図５に本発明のマガジン例の引き出し口の側断面図を示す。
【００４３】
この胴体１は厚紙を屈曲させて、前面上部に厚紙の両端が来るように形成されており、前面上端部にはマガジンの内側に屈曲させられて引き出し口の下面部１５が形成されている。
【００４４】
上面前端部１３には幅方向ほぼ全長にわたり、略直方体に形成された木質発泡体１２が接着剤１１で固着されてる。そして下面部１５と木質発泡体１２の対向面から内部にかけて緩衝布１４が貼着されており、感光材料を引き出す際の傷防止がなされている。ここで、ほぼ全長とは胴体１の全長と実質的には同一であることを意味するが、設計上、組立上の要請により多少短い目でも構わない。本発明のように、木質発泡体で引き出し口を形成させる事によって、外圧、衝撃及び温湿度変化等による変形が全くなくなり、かつ環境に優しい使い捨て用としての性質も満足する前記本発明の目的が達成された。
【００４５】
また、図６に示すように、上面前端部１３を内側に屈曲させて角筒状にすると共に、先端部の最終折り込み面１６を上面内部壁面１７に固着した従来の紙製胴体に比べ、引き出し口の変形が起こりにくくなり、マガジンの組立適性が大幅に向上した。
【００４６】
【発明の効果】
板紙，段ボールに比べ、木質発泡体は湿度の変化に伴う伸縮変形がほとんどないため、マガジンの組立性が大幅に向上した。
【００４７】
またコストはプラスチックを使用しているものに比べ、低下させることができた。
【００４８】
更に環境性においては、従来プラスチックの処分に苦慮していたが、本発明品は一般可燃物として処分することが可能になり、また、燃焼時、一般樹脂のように溶融滴下現像が起こらず炉を傷めるということがなくなり、地球環境にやさしい商品としての目的を達成することができた。
【図面の簡単な説明】
【図１】本発明の感光材料用遮光容器の一部を切り欠いた平面図。
【図２】同上の側板解体図。
【図３】同上の側板斜視図。
【図４】同上の側板断面図。
【図５】同上の引き出し口側断面の説明図。
【図６】従来のマガジンの引き出し口側断面の説明図。
【図７】一般的なロール状感光材料用マガジンの一部解体斜視図。
【符号の説明】
１    胴体
２    側板
３    感光材料
４    感光材料引き出し口
５    嵌合突起部
６    側板本体
７    台座
８    厚紙
９  薄紙
１０    補強板紙
１１    接着剤
１２    引き出し口木質発泡体部
１３  上面前端部
１４  緩衝布
１５  下面部
１６    最終折り込み面
１７    上面内部壁面
【図１】
0003614559.tif 000004
【図２】
0003614559.tif 000005
【図３】
0003614559.tif 000006
【図４】
0003614559.tif 000007
【図５】
0003614559.tif 000008
【図６】
0003614559.tif 000009
【図７】
0003614559.tif 000010